(57)【要約】【課題】建物の外壁や内装、道路、輸送機などの構造物の汚れの除去に用いられる洗浄剤は、環境中に排出した際に影響がないとは言い難く、自然界に長時間残ってしまうという問題があり、ましてや水生生物への影響については言及されていない。【解決手段】本発明者等は、鋭意検討した結果、特定の配合により、水生生物への毒性が低く、生分解性に優れた洗浄剤組成物を見出し、本発明を完成するに至った。即ち、本発明は、（Ａ）成分として、ソホロリピッドと、（Ｂ）成分として、塩基性窒素化合物のアルキレンオキシド付加物と、（Ｃ）成分として、オキシカルボン酸塩を必須成分として含有することを特徴とする洗浄剤組成物に係るものである。【選択図】なし【特許請求の範囲】
【請求項１】
（Ａ）成分としてソホロリピッドと、
（Ｂ）成分として、塩基性窒素化合物のアルキレンオキシド付加物と、
（Ｃ）成分として、オキシカルボン酸塩を必須成分として含有することを特徴とする洗浄剤。
【請求項２】
（Ａ）成分１質量部に対する（Ｂ）成分の配合量が０．０１〜１０質量部であり、且つ（Ａ）成分１質量部に対する（Ｃ）成分の配合量が０．０１〜２質量部である、請求項１記載の洗浄剤。
【請求項３】
（Ａ）成分のソホロリピッドが酸型ソホロリピッドであることを特徴とする請求項１または２記載の洗浄剤。
【請求項４】
（Ｂ）成分の塩基性窒素化合物が、アンモニアもしくはエチレンジアミンである、請求項１〜３のいずれか１項記載の洗浄剤。
【請求項５】
（Ｃ）成分が、グルコール酸、乳酸、クエン酸、グルコン酸、酒石酸及びリンゴ酸の塩からなる群から選択される、１種または２種以上である、請求項１〜４のいずれか１項記載の洗浄剤。
【発明の詳細な説明】
【技術分野】
【０００１】
本発明は、建物の外壁や内装、道路、輸送機などの構造物の汚れの効果的な除去に有用であり、水生生物への毒性が低く、生分解性にも優れた洗浄剤に関する。
【背景技術】
【０００２】
ビルや道路、ソーラーパネルなどの屋外構造物、自動車、車両、船舶、航空機など輸送機、各種工場やホテル、レストランの設備など、あらゆる環境で利用される構造物にはコンクリート、タイル、金属、合成樹脂、岩石、ガラス、あるいはそれらの上に塗料を塗布したもの等が知られているが、繰り返しの使用あるいは経時的に汚染される。このような構造物に付着する汚れは、水あか、砂ぼこり、炭化水素、窒素酸化物、硫黄酸化物、酸化ケイ素、脂質等、各種部品の破片など有機物及び無機物の絡み合った複雑な汚れとなる。その結果、構造物の外観の美観を大きく阻害するのみならず、場合によっては、これらの構造物の腐食劣化を促進し、構造物の寿命を縮めることにもなる。そこで様々な種類の洗浄剤組成物が、これら構造物に付着した汚れを落とす目的で使われている。
【０００３】
例えば、特許文献１には、（Ａ）下記一般式（１）で表される界面活性剤（Ｒ1は、炭素数８〜２０のアルキル基もしくはアルケニル基を表し、−［ＡＯ］ｎ−が、エチレンオキシドとプロピレンオキシドとのランダム共重合により誘導されるものであり、且つエチレン基がＡＯ鎖全体の５０モル％以上であり、ｎは、６〜３０の数を表す）０．１〜５０質量％、
【化１】
2015010216.tif 000002
（Ｂ）塩基性窒素化合物のアルキレンオキシド付加物（塩基性窒素化合物がアンモニアもしくはエチレンジアミンであり、アルキレンオキシド付加物が下記一般式（２）（ＰＯは、−Ｃ３Ｈ６Ｏ−基を表し、ＥＯは、−Ｃ２Ｈ４Ｏ−基を表し、ｋ、ｐ、ｒ及びｔはそれぞれ１〜５０の数を表し、ｍ、ｑ、ｓ及びｗはそれぞれ１〜１００の数を表すで表される化合物）０．１〜５０質量％、
【化２】
2015010216.tif 000003
（Ｃ）グルコール酸、乳酸、クエン酸、グルコン酸、酒石酸及びリンゴ酸の塩からなる群から選択される、１種または２種以上を０．１〜２０質量％、（Ｄ）（Ｃ）成分を除くビルダー、を含有してなることを特徴とする外壁洗浄剤組成物が開示されている。
【０００４】
また、特許文献２には、ソホロリピッドを用いた液体洗浄剤組成物が開示されている。
【先行技術文献】
【特許文献】
【０００５】
【特許文献１】特許４６９９７２７号公報  特許請求の範囲
【特許文献２】特許４５４８８２７号公報  特許請求の範囲
【発明の概要】
【発明が解決しようとする課題】
【０００６】
しかし、特許文献1で（Ａ）成分として用いられている「ブロックポリマー」は、従来から用いられている石油由来の界面活性剤であって、そもそも「ブロックポリマー」自体が生分解性に劣ることはすでによく知られていることであり（Kawai,
F.: The biochemistry of degradation of polyethers. CRC Crit. Rev. Biochem., 6,
273-307 (1987),Naylor, C. G., Castaldi, F. J., and Hayes, B. J.: Biodegradation
of nonionic surfactants containing propylene oxide. J. Am. Oil Chem. Soc., 65,
1669-1676 (1988)）、環境中に排出した際に影響がないとは言い難く、自然界に長時間残ってしまうという問題があり、ましてや水生生物への影響については言及されていない。界面活性剤が水生生物に毒性を示すのは、その界面張力低下活性である（M. Oya, et al., JOS, 56,
237-243（2007） ）。ブロックポリマー型非イオン界面活性剤は、環境蓄積性が高いので、長期間にわたりその界面張力低下活性を示すことになる。すなわち、生分解性が低い界面活性剤が環境に放出されれば、その環境において長期の水生生物毒性を示すことになる。  
【０００７】
また、特許文献２ではソホロリピッドを使用しているが、水生生物への影響については言及されていない。
【０００８】
従って、本発明の目的は、水生生物への毒性が低く、生分解性に優れた洗浄剤を提供することにある。
【課題を解決するための手段】
【０００９】
そこで、本発明者等は、鋭意検討した結果、特定の配合により、これらの条件を全て満たす洗浄剤組成物を見出し、本発明を完成するに至った。
即ち、本発明は、（Ａ）成分として、ソホロリピッドと、
（Ｂ）成分として、塩基性窒素化合物のアルキレンオキシド付加物と、
（Ｃ）成分として、オキシカルボン酸塩を必須成分として含有することを特徴とする洗浄剤組成物に係るものである。
【発明の効果】
【００１０】
本発明の効果は、水生生物への毒性が低く、生分解性に優れた洗浄剤を提供したことにある。
【発明を実施するための形態】
【００１１】
本発明の洗浄剤組成物において、（Ａ）成分は一般式（３）で表されるソホロリピッド（以下ＳＬ）、より好ましくは酸型ソホロリピッド（以下酸型SL）である。
【化３】
2015010216.tif 000004
【００１２】
ＳＬは、代表的には、微生物の培養によって得られる。例えば、Ｃａｎｄｉｄａ
ｂｏｍｂｉｃｏｌａ、Ｃ ．ａｐｉｃｏｌａ、Ｃ ．ｐｅｔｒｏｐｈｉｌｕｍ、Ｃ ．ｂｏｇｏｒｉｅｎｓなどのＣａｎｄｉｄａ属酵母に        
よって生産される。ＳＬは、これらのＣａｎｄｉｄａ属酵母を、高濃度の糖と油性基質を同時に与えて培養すると培地中に多量（１００〜１５０ｇ／Ｌ）に蓄積する。こうして得ら
れるＳＬは、濃度約５０質量％の含水物である。
【００１３】
ＳＬは、上記微生物の培養液から、遠心分離、デカンテーション、酢酸エチル抽出などの方法で分離され、さらにヘキサンで洗浄することにより、茶褐色、飴状物質と
して得られる。ＳＬは水より比重が大きいため培養終了液を静置すれば下層へ分離し、容易に取り出すことができる。
【００１４】
このようにして得られるＳＬは、ソホロースまたはヒドロキシル基が一部アセチル化されたソホロースとヒドロキシ脂肪酸とからなる基本構造を有し、ヒドロキシ脂肪酸のカルボキシル基が遊離した酸型ＳＬと、このカルボキシル基が分子内ソホロースのヒドロキシル基とエステル結合したラクトン型ＳＬとに大別される複数の分子種の混合物である。
【００１５】
本明細書記載の酸型ＳＬは、例えば、微生物によって生産され、分離・精製されたＳＬのラクトン部分とソホロースのアセチル部分を全て加水分解した構造を有し、やはり複数の構造類似体の混合物である。
【００１６】
酸型ＳＬの調製法は特に限定されないが、アルカリ還流による調製法が一般的である。この場合、その後の精製法にもよるが、１００％近い純度で酸型ＳＬが得られる。その他、室温下でのアルカリ加水分解によっても得られる。酸型ＳＬは洗浄剤を調製する際に、SLと比較し、粘性が低いため取り扱いが容易となる。また、分子内に温度やｐHが高いほど加水分解を受けやすい不安定なエステル結合を持たない。その為、広範なｐHや温度域にも品質性能が変化しないため、さまざまな環境で使用される洗浄剤に好適である。
【００１７】
本発明の（Ｂ）成分は、塩基性窒素化合物のアルキレンオキシド付加物であり、例えば、モノエタノールアミン、ジエタノールアミン、トリエタノールアミン、モノプロパノールアミン、ジプロパノールアミン、トリプロパノールアミン等のアンモニアのアルキレンオキシド付加物；エチレンジアミン１ＥＯ（エチレンオキシド）付加物、エチレンジアミン２ＥＯ付加物、エチレンジアミン３ＥＯ付加物、エチレンジアミン４ＥＯ付加物、エチレンジアミン１ＰＯ（プロピレンオキシド）付加物、エチレンジアミン２ＰＯ付加物、エチレンジアミン３ＰＯ付加物、エチレンジアミン４ＰＯ付加物、エチレンジアミンのＥＯ、ＰＯブロック共重合体、エチレンジアミンのＥＯ、ＰＯランダム共重合体等のエチレンジアミンのアルキレンオキシド付加物；アルキルモノエタノールアミン、アルキルジエタノールアミン、アルキルモノプロパノールアミン、アルキルジプロパノールアミン、ポリオキシアルキレンアルキルアミン等のアルキルアミンのアルキレンオキシド付加物である。このような化合物の中でも、アンモニアやエチレンジアミンの誘導体が好ましい。
【００１８】
本発明の（Ｃ）成分は、オキシカルボン酸塩であり、例えば、乳酸、クエン酸、グルコン酸、酒石酸、リンゴ酸、アラボ糖酸、イド糖酸、オキシステアリン酸、キシロ糖酸、タルトロン酸、リシノール酸及びリボ糖酸の塩が挙げられる。塩としては、ナトリウム塩、カリウム塩等のアルカリ金属塩や、アンモニウム塩を挙げることができ、本発明の洗浄剤組成物は、これら（Ｃ）成分から選ばれる１種または２種以上を含有することができる。これらの中でも、乳酸、クエン酸、グルコン酸、酒石酸及びリンゴ酸の塩が好ましく、乳酸、グルコン酸及びクエン酸の塩が更に好ましく、クエン酸塩が最も好ましい。
【００１９】
（Ａ）成分、（Ｂ）成分、（Ｃ）成分の好ましい配合割合は、以下のように規定することができる。（Ａ）成分１質量部に対して（Ｂ）成分は０．０１〜１０質量部である。（Ａ）成分１質量部に対して（Ｂ）成分が０．０１質量部未満及び１０質量部を超える場合は、生分解性が低下し、油汚れに対する洗浄力も悪くなる。
また、（Ａ）成分１質量部に対して（Ｃ）成分は０．０１〜２質量部である。（Ｃ）成分が０．０１質量部未満の場合は、水垢汚れに対する洗浄力が悪くなり、２質量部を超えると配合安定性が悪くなる。
【００２０】
更に本発明の洗浄剤は、上記（Ａ）〜（Ｃ）の必須成分の他に、（Ｅ）成分を配合することができる。本発明の（Ｅ）成分は、（Ｃ）成分を除くビルダーであり、例えば、コハク酸、グルタル酸、マロン酸等のジカルボン酸及びこれらの塩、エチレンジアミン四酢酸、ヒドロキシエチレンジアミン酢酸等のアミノカルボン酸及びこれらの塩、オルトリン酸、トリメタリン酸、ピロリン酸、トリポリリン酸等のリン酸化合物及びこれらの塩が挙げられる。塩としては、ナトリウム塩、カリウム塩等のアルカリ金属塩や、アンモニウム塩を挙げることができる。
【００２１】
更に、ビルダーとしてはアルカリ剤を用いることもでき、例えば、水酸化ナトリウム、水酸化カリウム、水酸化カルシウム、酸化ナトリウム等の水酸化若しくは酸化物；炭酸ナトリウム、炭酸カリウム、セスキ炭酸ナトリウム等の炭酸塩；硼酸カリウム、硼酸ナトリウム等の硼酸塩；硫酸水素ナトリウム、硫酸水素カリウム、硫酸水素マグネシウム等の硫酸塩；ケイ酸ナトリウム、メタケイ酸ナトリウム、ケイ酸カリウム、メタケイ酸カリウム、ゼオライト等の無機アルカリ金属塩；ギ酸ナトリウム、酢酸ナトリウム、シュウ酸ナトリウム等の有機アルカリ金属塩；トリエチルアミン等のアルキル基鎖長が炭素数１〜４までのアルキル置換アミン類が挙げられることができ、本発明の洗浄剤は、これら（Ｅ）成分から選ばれる１種または２種以上を含有することができる。
【００２２】
上記（Ｅ）成分の好ましい配合量は、（Ａ）成分１質量部に対して、０〜５質量部、より好ましくは０．０１〜３質量部、更に好ましくは０．０２〜１質量部、最も好ましくは０．０５〜１質量部である。上記配合量が５質量部を超えると、水系での配合上、安定性に劣る場合がある。
【００２３】
更に、本発明の洗浄剤は、本発明の効果を損なわない範囲で、その他の成分と併用することができる。その他の成分としては、例えば、エタノール、エチレングリコール、プロピレングリコール等のアルコール類；ベンゼンスルフォン酸塩、トルエンスルフォン酸塩等の低級アルキルスルフォン酸塩等の低温安定化剤；２，６−ジ第三ブチル−ｐ−クレゾール、２，６−ジフェニル−４−オクタデシロキシフェノール、２、５−ジ−ｔ−ブチルヒドロキノン、ＤＬ−α−トコフェノール等の酸化防止剤、香料、色素、防腐剤等を配合することができる。更に、外壁への汚染性がない範囲において、３−メチル−１，３−ブタンジオール、３−メチル−１，５−ペンタンジオール、２，２，４−トリメチル−１，３−ペンタンジオール、２−エチル−１，３−ヘキサンジオール、１，９−ノナンジオール、１，８−オクタンジオール等のアルキレングリコール系溶剤、ジエチレングリコールモノブチルエーテル、プロピレングリコールモノブチルエーテル、ジプロピレングリコールモノブチルエーテル、ポリオキシプロピレンポリオキシエチレングリコールモノブチルエーテル等のアルキレングリコールアルキルエーテル系溶剤、リモネン、ピネン、ジペンテン等のテルペン炭化水素系溶剤等を合わせて配合することができる。
【００２４】
また、本発明の洗浄剤のｐＨは特に限定されないが、ひどい汚れを除去する場合には、アルカリ剤等を使用して、ｐＨを７．０〜１４．０の範囲に、好ましくは９．０〜１４．０の範囲にすることもできる。
【００２５】
本発明の洗浄剤は、従来知られている任意の方法で使用することができ、例えば、本発明の洗浄剤を塗布してブラッシングした後、拭き取ることにより汚れを除去することができる。塗布の方法としては、例えば、布やブラシにしみ込ませてそのまま塗布する方法、ハンドスプレーや機械スプレーにおいてスプレーする方法等が挙げられる。また、ブラッシングする方法としては、例えば、ウエス、布ブラシ、金属ブラシ、樹脂製ブラシ等を使用して、人手あるいは機械によってブラッシングする方法等が挙げられる。なお、拭き取る方法としては、ウエス等で拭き取ればよい。また、自動清掃装置や超音波を使用した洗浄方法でもよく、更に、洗浄後に水ですすぎを行ってもよいし、本発明の洗浄剤の高濃度品を水で希釈して使用してもよい。
【００２６】
本発明の洗浄剤は高濃度で使用してもよいが、水で希釈して使用するのが好ましい。水で希釈する場合、（Ａ）成分の濃度が０．００１〜８０質量％になるように希釈してから使用するのが好ましく、０．００１〜５０質量％がより好ましく、０．０１〜３０質量％が最も好ましい。（Ａ）成分の濃度が０．００１質量％未満の場合、洗浄力が悪くなる場合があり、８０質量％を超えた場合、粘性が高くなり操作性が低くなる。また、上記のように（Ａ）成分を希釈するのと同時に、（Ｂ）成分が０．００００１〜８質量％になるように希釈するのが好ましく、０．００００１〜５質量％がより好ましく、０．０００１〜３質量％が最も好ましく、更に、（Ｃ）成分を０．００００１〜１．６質量％になるように希釈するのが好ましく、０．００００１〜１質量％がより好ましく、０．０００１〜０．６質量％が最も好ましい。（Ａ）、（Ｂ）及び（Ｃ）の３つの成分が上記のような濃度範囲にあるとき、本発明の洗浄剤は最も効果的に作用する。
【００２７】
本発明の洗浄剤は、コンクリート、タイル、金属、合成樹脂、岩石、ガラス、あるいはそれらの上に塗料を塗布した建造物の外壁、更に、ゴム製品、自動車の車体等の洗浄にも使用することができ、特に、道路脇の建造物やトンネル内部等、自動車の排気ガス等で汚れがひどい外壁、ソーラーパネルなどの洗浄に有用である。
【実施例】
【００２８】
以下、本発明の洗浄剤を実施例により更に具体的に説明する。尚、以下の実施例等において「％」および「部」は、特に記載が無い限り質量基準である。
【００２９】
＜洗浄剤溶液の調製＞
本発明の洗浄剤（実施例）および洗浄成分としてＡの代わりに従来技術で用いられる洗浄成分として「ブロックポリマー」や合成界面活性剤であるＤを配合した洗浄剤（比較例１−比較例８）を調製した後、水で各試験に適した濃度まで希釈した。実施例および比較例１−比較例８の配合を表１に示す。以下の表１に示す配合表に従い、洗浄剤を調製した。
【００３０】
＜調製原料＞ 
Ａ：酸型ＳＬ（ＳＯＦＯＲＯ  ＡＤ−３０、有効３０％、サラヤ）
【化４】
2015010216.tif 000005
【００３１】
Ｂ：トリエタノールアミン（有効９０〜９６％、日本触媒）
【００３２】
Ｃ−１：クエン酸ナトリウム
Ｃ−２：グルコン酸ナトリウム
【００３３】
下記構造式中のＰＯは、−Ｃ３Ｈ６Ｏ−を表し、ＥＯは、−Ｃ２Ｈ４Ｏ−を表す。なおＤ−１及び２は、特許文献１記載の従来技術において用いられている洗浄成分である。
Ｄ−１：ポリオキシエチレンポリオキシプロピレンラウリルエーテル（ノニオンＡ−１３ＰＲ、有効１００％、日油）
【化５】
2015010216.tif 000006
Ｄ−２：ポリオキシエチレンポリオキシプロピレンセチルエーテル（ＮＩＫＫＯＬ  ＰＢＣ−３３、有効１００％、日光ケミカルズ）
【化６】
2015010216.tif 000007
Ｄ−３：直鎖型アルキルベンゼンスルホン酸塩（ネオペレックスＧＳ、有効９６％、花王）
Ｄ−４：アルキル硫酸塩（テイカライトＮ４１３５、有効３５％、テイカ）
Ｄ−５：ポリオキシエチレンアルキルエーテル硫酸塩（テイカポールＮＥ１２３０、有効２７％、テイカ）
Ｄ−６：ポリオキシエチレンアルキルエーテル（セドランＳＮＰ−１１２、有効１００％、三洋化成）
なお、Ｄ−３は苛性ソーダで中和してから用いた。
【００３４】
【表１】
2015010216.tif 000008
【００３５】
＜生分解性試験＞
得られた洗浄剤について、ＯＥＣＤ  ３０１Ｃ修正ＭＩＴＩ試験に準拠して生分解度を求めた。なお、生分解度は、以下の式によって求めた。
生分解度（％）＝（ＢＯＤ−Ｂ）／ＴＯＤ × １００
ＢＯＤ：供試物質のＢＯＤ測定値
Ｂ：活性汚泥と基礎培養液のみの場合のＢＯＤ測定値(ブランク)
ＴＯＤ：供試物質が完全に酸化された場合に要求される総酸素要求量
結果を表２に示す。実施例は本試験が易生分解性と定める生分解度６０％を超えており、生分解性が高いと判断できる。
【００３６】
【表２】
2015010216.tif 000009
【００３７】
＜水生生物毒性試験＞
試験方法は、「「農薬の登録申請に係わる試験成績について」（平成１２年１１月２４日付け１２生産第８１４７号農林水産省農産園芸局長通知）の運用について」（平成１３年１０月１０日付け１３生産第３９８６号農林水産省生産局生産資材課長通知）の、一部改正平成２３年４月１日２２消安第１００１６号において出された局長通知別添「農薬の登録申請時に提出される試験成績の作成に係る指針」の、２−７−１−１魚類急性毒性試験、２−７−２−１ミジンコ類急性遊泳阻害試験に則った。
【００３８】
１．魚類急性毒性試験
試験には、ヒメダカ Oryzias latipes（National
Institute of Environmental Research (Environmental Research Complex,
Kyungseo-dong, Seo-gu, Incheon, Korea)より入手）を用い、ＬＣ５０（半数致死濃度）を測定した。試験結果を表３に示す。ＬＣ５０は濃度が高ければ高いほど、ヒメダカへの毒性が低いことを表している。本発明品は比較例と比較して魚類への毒性が非常に低かった。
【００３９】
【表３】
2015010216.tif 000010
【００４０】
２．ミジンコ類急性遊泳阻害試験
試験には、オオミジンコ Daphnia magna（National Institute of
Agricultural Science & Tech. (249, Seodun-dong, Gwonseon-gu, Suwon-si,
Gyeonggi-do, Korea)より入手）を用い、ＥＣ５０（半数遊泳阻害濃度）を測定した。試験結果を表４に示す。ＥＣ５０は濃度が高ければ高いほど、ミジンコ類への毒性が低いことを表している。本発明品は比較例と比較してミジンコ類への毒性が非常に低かった。
【００４１】
【表４】
2015010216.tif 000011
【００４２】
＜洗浄力試験＞
人工汚染物（鉱物油（コスモ石油ルブリカンツ株式会社製 「コスモギヤーＳＥ１５０」）：カーボンブラック（ＳＩＧＭＡ−ＡＬＤＲＩＣＨ社製
ＣＡＳ Ｎｏ．１３３３−８６−４）＝２４：１（重量））を、表５に示した汚染対象物に一定量を均一に塗布し、２４時間風乾させたものを汚れテストピースとした。表５のＮｏ．１−７のテストピースを、電子天秤の上に乗せたプラスチック製のバットの中に固定し、テストピース表面を実施例の５００倍希釈液または水を含ませた食器洗い用スポンジ（５×５ｃｍ）で、電子天秤の表示が概ね１ｋｇとなるようにしながら５回擦った後、水ですすぎ自然乾燥後評価をした。また、洗浄後一週間そのまま放置して、洗浄剤のテストピースに対する腐食性を調べた。
洗浄力は、ハンター白色度と目視で評価した。ハンター白色度は色彩色差計（ミノルタ社製ＣＲ−３００）を用いて汚染前、洗浄前、洗浄後を計測し、目視については表６の基準で判定した。腐食性は目視にて、ひび割れや錆びなどの有無で判定した。
【００４３】
【表５】
2015010216.tif 000012
【００４４】
【表６】
2015010216.tif 000013
【００４５】
実施例の各テストピースの洗浄剤洗浄後と水道水による洗浄後の様子を表７に示す。金属、ガラスおよび樹脂に関して、実施例は非常に良好な洗浄力を示した。屋外構造物に汎用される広範な材質に対し、実施例は良好な洗浄効果を示し、水だけでは洗浄不可能な屋外環境における汚染物を有効に除去することが示された。また、すべての材質に対し腐食性は確認されなかった。
【００４６】
【表７】
2015010216.tif 000014
【産業上の利用可能性】
【００４７】
本発明の洗浄剤は、コンクリート、タイル、金属、合成樹脂、岩石、ガラス、あるいはそれらの上に塗料を塗布した建造物の外壁、更に、ゴム製品、自動車の車体等の洗浄に使用することができる。洗浄後自然界に排出した際、長時間残らず、さらに水生生物への影響が少ない。